(57)【要約】【課題】室内側に輻射を発生させる面積を可変する構成を有し、熱交換ユニットと送風ユニットを分離でき、小型・軽量で輻射と対流を発生する空気調和装置の提供を目的とする。【解決手段】熱媒を流す熱媒管１１と、前記熱媒管１１が貫通し一体となったフィン１３と、前記フィン１３の一端１４が折り曲げられ室内側に面１５を構成し、前記フィン１３の他端１６までが送風路１７に存在し筐体上部１９Ｂに設けた吸込口２５とからなる熱交換ユニット１８と、前記筐体下部１９Ａに設けた分離可能な送風ユニット２０と、前記送風ユニット２０に設けた送風手段２４と、吹出口２１と、空気の吹出方向を上下に変えるルーバー２２と、前記ルーバー２２を可動する可動手段２３を設けた空気調和装置。【選択図】　図１
2004020047.tif 000002
【特許請求の範囲】
【請求項１】
熱媒を流す熱媒管と、前記熱媒管が貫通し一体となったフィンと、前記フィンの一端が折り曲げられ室内側に面を構成し、前記フィンの他端までが送風路に存在する熱交換ユニットと、筐体に設けた分離可能な送風手段を備えた送風ユニットと、吹出口と、吹出方向を変更するルーバーと、前記ルーバーを可動する可動手段からなる吹出口ユニットと、前記吹出口と熱交換ユニットを介した相対位置に設けた吸込口からなる空気調和装置。
【請求項２】
熱媒を流す熱媒管と、前記熱媒管が貫通し一体となったフィンと、前記フィンの一端が折り曲げられ室内側に面を構成し、前記フィンの他端までが送風路に存在し筐体上部に設けた吸込口とからなる熱交換ユニットと、前記筐体下部に設けた分離可能な送風ユニットと、前記送風ユニットに設けた送風手段と、吹出口と、空気の吹出方向を上下に変えるルーバーと、前記ルーバーを可動する可動手段を設けた空気調和装置。
【請求項３】
熱媒を流す熱媒管と、前記熱媒管が貫通し一体となったフィンと、前記フィンの一端が折り曲げられ室内側に面を構成し、前記フィンの他端までが送風路に存在し筐体上部に設けた吹出口と、空気の吹出方向を上下に変えるルーバーと、前記ルーバーを可動する可動手段とからなる熱交換ユニットと、前記筐体下部に設けた分離可能な送風ユニットと、前記送風ユニットに設けた送風手段と、吹出口とを設けた空気調和装置。
【請求項４】
熱媒を流す熱媒管と、前記熱媒管が貫通し一体となったフィンと、前記フィンの一端が折り曲げられ室内側に面を構成し、前記フィンの他端までが送風路に存在し筐体下部に設けた吹出口と、空気の吹出方向を上下に変えるルーバーと、前記ルーバーを可動する可動手段とからなる熱交換ユニットと、前記筐体上部に設けた分離可能な送風ユニットと、前記送風ユニットに設けた送風手段と、吸込口とを設けた空気調和装置。
【請求項５】
熱媒を流す熱媒管と、前記熱媒管が貫通し一体となったフィンと、前記フィンの一端が折り曲げられ室内側に面を構成し、前記フィンの他端までが送風路に存在し筐体下部に設けた吸込口とからなる熱交換ユニットと、前記筐体上部に設けた分離可能な送風ユニットと、前記送風ユニットに設けた送風手段と、吹出口と、空気の吹出方向を上下に変えるルーバーと、前記ルーバーを可動する可動手段を設けた空気調和装置。
【請求項６】
熱媒を流す熱媒管と、前記熱媒管が貫通し一体となったフィンと、前記フィンの一端が折り曲げられ室内側に面を構成し、前記熱媒管を流れる熱媒の流れを前記フィンの上下方向に切り換える切り換え弁と、筐体上部に設けた吸込口と、風を送る送風手段と、吹出口を設けた空気調和装置。
【請求項７】
熱媒管を流れる熱媒の流れをフィンの左右方向に切り換える切り換え弁を設けた請求項６記載の空気調和装置。
【請求項８】
熱媒を流す熱媒管と、前記熱媒管が貫通し一体となったフィンと、前記フィンの一端が折り曲げられ室内側に面を構成し、前記熱媒管と前記フィン部で形成されるパネル部の面積を可変できるスライドパネルと、筐体上部に設けた吸込口と、風を送る送風手段と、吹出口を設けた空気調和装置。
【請求項９】
熱媒を流す熱媒管と、前記熱媒管が貫通し一体となったフィンと、前記フィンの一端が折り曲げられ室内側に面を構成し、前記熱媒管と前記フィン部で形成されるパネル部の面積を可変できる折りたたみパネルと、筐体上部に設けた吸込口と、風を送る送風手段と、吹出口を設けた空気調和装置。
【発明の詳細な説明】
【０００１】
【発明の属する技術分野】
本発明は熱媒を循環させて室内の空気調和を行う空気調和装置に関するものである。
【０００２】
【従来の技術】
従来、この種の空気調和装置としては、例えば、特開昭６３−２３８３３９号公報に記載されているようなものがあった。図３は、前記公報に記載された従来の空気調和装置を示すものである。
【０００３】
図１０に示すように、フィン１に熱伝導性の良好なパネル２を貼り付け、送風機３を設けた構成となっていた。高温の熱媒は熱媒管４に流入し、熱媒管４を加熱し、フィン１に伝わってフィン１周りの空気を加熱する。送風手段３によって空気が吸入され、強制対流によって温風が室内に吹出すとともに、パネル２から輻射エネルギーが放射する構成となっていた。
【０００４】
【発明が解決しようとする課題】
しかしながら上記従来の空気調和装置では、フィン１に熱伝導性の良いパネル２を貼り付けただけの構成であるため、熱媒の熱をパネル２へ効率よく伝導することができずパネル２の温度は上昇しにくく、パネル２表面から十分な輻射エネルギーが放射できなという課題があった。さらに、輻射量を制御する工夫と、パネル２表面に輻射率を向上させる工夫がない。すなわち輻射量を十分確保するには、パネル２を大きくする必要があり、装置が大型化、重量増加するという課題があった。
【０００５】
本発明は上記課題を解決するため、室内側に輻射を発生させる面積を可変する構成を有し、熱交換ユニットと送風ユニットを分離でき、小型・軽量で輻射と対流を発生する空気調和装置の提供を目的とする。
【０００６】
【課題を解決するための手段】
前記従来の課題を解決するために、本発明の空気調和装置は、熱媒を流す熱媒管と、前記熱媒管が貫通し一体となったフィンと、前記フィンの一端が折り曲げられ室内側に面を構成し、前記フィンの他端までが送風路に存在する熱交換ユニットと、筐体に設けた分離可能な送風手段を備えた送風ユニットと、吹出口と、吹出し方向を変更するルーバーと、前記ルーバーを可動する可動手段からなる吹出口ユニットと、前記吹出口と熱交換ユニットを介した相対位置に設けた吸込口からなる。
【０００７】
これによって、熱媒の熱が熱媒管とフィンを加熱し、送風手段により吸い込まれた室内空気をフィンで加熱して温風として吹出口から吹き出すとともに、フィンの一端が室内側に面し効率よく輻射エネルギーを発生させ室内に遠赤外線等を放射する。そして、送風ユニットを必要に応じて分離する。
【０００８】
【発明の実施の形態】
請求項１に記載の発明は熱媒を流す熱媒管と、前記熱媒管が貫通し一体となったフィンと、前記フィンの一端が折り曲げられ室内側に面を構成し、前記フィンの他端までが送風路に存在する熱交換ユニットと、筐体に設けた分離可能な送風手段を備えた送風ユニットと、吹出口と、吹出し方向を変更するルーバーと、前記ルーバーを可動する可動手段からなる吹出口ユニットと、前記吹出口と熱交換ユニットを介した相対位置に設けた吸込口からなる。
【０００９】
そして、熱媒の熱が熱媒管とフィンを加熱し、送風手段により吸い込まれた室内空気をフィンで加熱して温風として吹出口から吹き出すとともに、フィンの一端が室内側に面し効率よく輻射エネルギーを発生させ室内に遠赤外線等を放射する。そして、送風ユニットを必要に応じて分離する。
【００１０】
よって、必要に応じて強制対流暖房と輻射暖房とに使用形態が変更可能となり、送風ユニットを取りはずすことで装置の大きさ調整も可能となる。送風手段とルーバーにより強制循環流を任意方向に制御できるため、放熱能力と風向を制御することが可能となる。
【００１１】
請求項２に記載の発明は熱媒を流す熱媒管と、前記熱媒管が貫通し一体となったフィンと、前記フィンの一端が折り曲げられ室内側に面を構成し、前記フィンの他端までが送風路に存在し筐体上部に設けた吸込口とからなる熱交換ユニットと、前記筐体下部に設けた分離可能な送風ユニットと、前記送風ユニットに設けた送風手段と、吹出口と、空気の吹出方向を上下に変えるルーバーと、前記ルーバーを可動する可動手段を設けた。
【００１２】
そして、筐体下部より送風ユニットを、または筐体上部のみをとりはずし、必要な場所へ運ぶ。筐体上部に設けた吸込口より吸込んだ空気を下部よりルーバーにて任意方向へ温風を吹き出す。
【００１３】
よって、送風ユニットは、そこに設けられた送風手段のために重量が大きくなるが、装置全体における位置が下部となることで、装置全体の設置時の安定がよくなる。また、必要に応じて送風ユニットを取り外し、機動性のよい筐体上部のみを移動することもできる。下部より温風を吹き出す構成で、足元暖房の性能がよくなる。
【００１４】
請求項３に記載の発明は熱媒を流す熱媒管と、前記熱媒管が貫通し一体となったフィンと、前記フィンの一端が折り曲げられ室内側に面を構成し、前記フィンの他端までが送風路に存在し筐体上部に設けた吹出口と、空気の吹出方向を上下に変えるルーバーと、前記ルーバーを可動する可動手段とからなる熱交換ユニットと、前記筐体下部に設けた分離可能な送風ユニットと、前記送風ユニットに設けた送風手段と、吹出口とを設けた。
【００１５】
そして、筐体下部より送風ユニットを、または筐体上部のみをとりはずし、必要な場所へ運ぶ。筐体下部に設けた吸込口より吸込んだ空気を上部よりルーバーにより任意の方向へ温風を吹き出す。
【００１６】
よって、送風ユニットは、そこに設けられた送風手段のために重量が大きくなるが、装置全体における位置が下部となることで、装置全体の設置時の安定性がよくなる。また、また、必要に応じて送風ユニットを取り外し、機動性のよい筐体上部のみを移動することもできる。温風吹き出しが上部で、室内の強制対流暖房により、快適な暖房が可能となる。
【００１７】
請求項４に記載の発明は熱媒を流す熱媒管と、前記熱媒管が貫通し一体となったフィンと、前記フィンの一端が折り曲げられ室内側に面を構成し、前記フィンの他端までが送風路に存在し筐体下部に設けた吹出口と、空気の吹出方向を上下に変えるルーバーと、前記ルーバーを可動する可動手段とからなる熱交換ユニットと、前記筐体上部に設けた分離可能な送風ユニットと、前記送風ユニットに設けた送風手段と、吸込口とを設けた。
【００１８】
そして、装置全体から送風ユニットを取り外す際は、筐体の上部のみをとりはずす。筐体下部より温風を吹き出す。
【００１９】
よって、筐体の上部にあるので送風ユニットの取り外しが、使用者にとって容易にできる。また、温風吹き出しが下部なので、足元暖房の性能がよくなる。
【００２０】
請求項５に記載の発明は熱媒を流す熱媒管と、前記熱媒管が貫通し一体となったフィンと、前記フィンの一端が折り曲げられ室内側に面を構成し、前記フィンの他端までが送風路に存在し筐体下部に設けた吸込口とからなる熱交換ユニットと、前記筐体上部に設けた分離可能な送風ユニットと、前記送風ユニットに設けた送風手段と、吹出口と、空気の吹出方向を上下に変えるルーバーと、前記ルーバーを可動する可動手段を設けた。
【００２１】
そして、装置全体から送風ユニットを取り外す際は、筐体の上部のみをとりはずす。筐体上部より温風を吹き出す。
【００２２】
よって、筐体の上部にあるので送風ユニットの取り外しが、使用者にとって容易にできる。また、温風吹き出しが上部で、室内の強制対流暖房により、快適な暖房が可能となる。
【００２３】
請求項６に記載の発明は熱媒を流す熱媒管と、前記熱媒管が貫通し一体となったフィンと、前記フィンの一端が折り曲げられ室内側に面を構成し、前記熱媒管を流れる熱媒の流れを前記フィンの上下方向に切り換える切り換え弁と、筐体上部に設けた吸込口と、風を送る送風手段と、吹出口を設けた。
【００２４】
そして、切り換え弁で熱媒の流れる流路を上下に切り換え室内側に面したフィンの一端の温度上昇を制御する。
【００２５】
よって、輻射面を上下部分で切り替えて輻射暖房の調節が可能となる。
【００２６】
請求項７に記載の発明は熱媒管を流れる熱媒の流れをフィンの左右方向に切り換える切り換え弁を設けた。
【００２７】
そして、切り換え弁で熱媒の流れる流路を左右に切り換え室内側に面したフィンの一端の温度上昇を制御する。
【００２８】
よって、輻射面を左右部分で切り替えて輻射暖房の調節が可能となる。
することができる。
【００２９】
請求項８に記載の発明は熱媒を流す熱媒管と、前記熱媒管が貫通し一体となったフィンと、前記フィンの一端が折り曲げられ室内側に面を構成し、前記熱媒管と前記フィン部で形成されるパネル部の面積を可変できるスライドパネルと、筐体上部に設けた吸込口と、風を送る送風手段と、吹出口を設けた。
【００３０】
そして、スライドパネルによって、輻射面の面積を変更する。
【００３１】
よって、必要に応じてスライドパネル部をスライドして輻射暖房面積の調節が可能となる。
【００３２】
請求項９に記載の発明は熱媒管とフィン部で形成されるパネル部の面積を可変できる折りたたみパネルを設けた。
【００３３】
そして、パネル部を折りたたむことで、輻射面積を自在に変更できる。
【００３４】
よって、必要に応じて、パネル部を折りたたみ、輻射暖房の調節が可能となる。
【００３５】
【実施例】
以下本発明の実施例について、図面を参照しながら説明する。
【００３６】
（実施例１）
図１は本発明実施例１の空気調和装置の斜視図であり、図２は側部断面図である。図１、２において、ボイラー等から送られた温水等の高温の熱媒は流入口１０から熱媒管１１に送られ流出口１２を通ってボイラー等に戻される。フィン１３の一端１４が折り曲げられ室内側に面１５を構成し輻射率を向上させている。一方、複数枚のフィン１３の他端１６までを送風路１７に設け、熱媒管１１を拡管することでフィン１３と伝熱関係を持つように取り付けられ熱交換ユニット１８を構成している。また熱交換ユニット１８を覆う筐体１９はフィン１３の一端１４が室内に面するように構成し、筐体下部１９Ａに設けた送風ユニット２０には吹出口２１と吹出方向を変えるルーバー２２と可動手段であるモーター２３と送風手段２４が設置されている。また筐体上部１９Ｂには吸込口２５が設けられ、吸込口２５と送風ユニット２０の間に送風路１９が設けられ、フィン１３が存在する。そして送風手段２４によって室内空気はフィン１３と強制対流熱交換し、吹出口２１から温風を吹き出す構成となっている。
【００３７】
以上のように構成した空気調和装置において、熱媒管１１はフィン１３を複数段貫通し拡管により密着されるため良好な伝熱関係を保持できる。これにより、８０℃に加熱された熱媒の熱が熱媒管１１からフィン１３の一端１４に伝熱し、折り曲げられ室内に面したフィン１３の温度を上昇させる。送風手段２１により吸込口２５から送風路１７に入った室内空気はフィン１３により加熱され温風とし吹出口２１から吹き出すとともに、ルーバー２２とルーバー２２を動かすモーター２３により風向を制御できる。
【００３８】
また、フィン１３の枚数を増やすことにより、大能力を確保しつつ装置を小型化することができる。このとき、熱媒管１１を通る熱媒は流入口１０から流入し流出口１２から流出する。送風手段２４によって吸込口２５から室内空気が流入し熱媒管１１の段方向パスと対向するように熱交換し吹出口２１から室内側へ温風が吹き出す。すなわち、空気の流れと水の流れを対向流とすることで強制循環による熱交換能力を向上するとともに、送風手段２４の送風量を制御し放熱能力を任意制御することで室内負荷に応じた暖房が可能となる。さらに、吹出口２１から吹き出す温風が下から吹き出すため、温度ムラの少ない立ち上がりを実現できる。
【００３９】
（実施例２）
図３は本発明実施例２における空気調和装置の側部断面図である。図において、実施例１の構成と異なるところは、筐体下部１９Ａに設けた送風ユニット２０に吸込口２５を設け、筐体上部１９Ｂにルーバー２２とモーター２３と吹出口を設けた点である。
【００４０】
以上のように構成した空気調和装置において、以下その動作、作用を説明する。熱媒管１１はフィン１３を貫通し拡管により密着されるため良好な伝熱関係を保持できる。これにより、８０℃に加熱された熱媒の熱が熱媒管１１からフィン１３の一端１４に伝熱する。このとき、フィン１３の一端１４は折り曲げられているため、室内に面したフィンの表面温度は均一かつ高温な輻射面となり室内側に大きな輻射エネルギーを発生させる。このとき、熱媒管１１を通る熱媒は流入口１０から流入し流出口１２から流出する。筐体下部１９Ａに設けた送風手段２４によって吸込口２５から室内空気が流入し熱媒管１１と熱交換し筐体上部１９Ｂに設けた吹出口２１から室内側へ温風が吹き出す。送風手段２４の送風量を制御し放熱能力を任意制御することで室内負荷に応じた暖房が可能となる。さらに、吹出口２１から吹き出す温風はルーバー２２により制御できるため立ち上がり時には下向きにルーバー２２の角度を変化させ足下から暖め、定常時にはルーバー２２の角度を上向き変化させ天井方向へ吹き出し循環流暖房を実現し温度ムラの少ない快適暖房を実現できる。
【００４１】
（実施例３）
図４は本発明実施例３における空気調和装置の側部断面図である。図４において、実施例１の構成と異なるところは、筐体上部１９Ｂに送風ユニット２０を設け、送風ユニット２０に吸込口２５を設け、筐体下部１９Ａに吹出口２１とルーバー２２とモーター２３を設けた点である。
【００４２】
以上のように構成した空気調和装置において、以下その動作、作用を説明する。熱媒管１１はフィン１３を貫通し拡管により密着されるため良好な伝熱関係を保持できる。これにより、８０℃に加熱された熱媒の熱が熱媒管１１からフィン１３の一端１４に伝熱する。このとき、フィン１３の一端１４は折り曲げられているため、室内に面したフィンの表面温度は均一かつ高温な輻射面となり室内側に大きな輻射エネルギーを発生させる。このとき、熱媒管１１を通る熱媒は流入口１０から流入し流出口１２から流出する。筐体上部１９Ｂに設けた送風手段２４によって吸込口２５から室内空気が流入し熱媒管１１と熱交換し筐体下部１９Ａに設けた吹出口２１から室内側へ温風が吹き出す。送風手段２４の送風量を制御し放熱能力を任意制御することで室内負荷に応じた暖房が可能となる。さらに、吹出口２１から吹き出す温風はルーバー２２により制御できるため立ち上がり時には水平方向にルーバー２２の角度を変化させ足下から暖め、定常時にはルーバー２２の角度を上向き変化させ天井方向へ吹き出し循環流暖房を実現し温度ムラの少ない快適暖房を実現できる。
【００４３】
（実施例４）
図５は本発明実施例４の空気調和装置の側部断面図である。図５において、実施例１の構成と異なるところは、筐体上部１９Ｂに設けた送風ユニット２０にルーバー２２とモーター２３と吹出口２１を設け、筐体下部１９Ａに吸込口２５を設けた点である。
【００４４】
以上のように構成した空気調和装置において、以下その動作、作用を説明する。熱媒管１１はフィン１３を貫通し拡管により密着されるため良好な伝熱関係を保持できる。これにより、８０℃に加熱された熱媒の熱が熱媒管１１からフィン１３の一端１４に伝熱する。このとき、フィン１３の一端１４は折り曲げられているため、室内に面したフィンの表面温度は均一かつ高温な輻射面となり室内側に大きな輻射エネルギーを発生させる。このとき、熱媒管１１を通る熱媒は流入口１０から流入し流出口１２から流出する。筐体上部１９Ｂに設けた送風手段２４によって筐体下部１９Ａの吸込口２５から室内空気が流入し熱媒管１１と熱交換し吹出口２１から室内側へ温風が吹き出す。送風手段２４の送風量を制御し放熱能力を任意制御することで室内負荷に応じた暖房が可能となる。さらに、吹出口２１から吹き出す温風はルーバー２２により制御できるため立ち上がり時には下向きにルーバー２２の角度を変化させ足下から暖め、定常時にはルーバー２２の角度を上向き変化させ天井方向へ吹き出し循環流暖房を実現し温度ムラの少ない快適暖房を実現できる。
【００４５】
（実施例５）
図６は本発明実施例５の空気調和装置の熱交換ユニットである熱交換器１８の斜視図である。図６において、実施例１の構成と異なる点は、熱交換器１８の熱媒管１１流路を切り換える切り換え弁である三方弁２６とヘッダー２７と分岐管を設けた点である。
【００４６】
以上のように構成した空気調和装置において、以下その動作、作用を説明する。輻射面を最大化する際には、熱交換器１８へ流入する熱媒を三方弁２６で再下段の熱媒管１１へ流入させる。この時、分岐管２８へ熱媒は流れない。従って全ての熱媒管１１に熱媒が通過することで輻射面積を最大にできる。輻射面を少なくする際には、三方弁２６を切り換え分岐管２８へ熱媒を通すことでヘッダー２７へ直接熱媒が流入し熱媒管１１の中段から上部へ流れるため、輻射発生面積上半分と小さくなり輻射量を減少できる。下側のみ輻射を発生させることで、室温が高くなり輻射量があまり必要ない場合に効果を発揮するとともに、床が輻射熱により暖まりやすくなり頭寒足熱の快適空間を実現できる。
【００４７】
（実施例６）
図７は本発明実施例６における空気調和装置の熱交換ユニットである熱交換器１８の斜視図である。図７において、実施例１の構成と異なる点は、熱媒管１１を垂直方向に配列し、熱交換器１８の熱媒管１１の流路を切り換える切り換え弁である三方弁２６とヘッダー２７と分岐管２８を設けた点である。
【００４８】
以上のように構成した空気調和装置において、以下その動作、作用を説明する。輻射面を最大化する際には、熱交換器１８へ流入する熱媒を三方弁２６で再下段の熱媒管１１へ流入させる。この時、分岐管２８へ熱媒は流れない。従って全ての熱媒管１１に熱媒が通過することで輻射面積を最大にできる。輻射面を少なくする際には、三方弁２６を切り換え分岐管２８へ熱媒を通すことでヘッダー２７へ直接熱媒が流入し熱媒管１１の中央近傍から左側へ流れるため、輻射発生面積左半分と小さくなり輻射量を減少できる。設置条件により空気調和装置の片側直前に加熱したくない物がある場合に、片側の輻射発生を停止することができる。
【００４９】
（実施例７）
図８は本発明実施例７における空気調和装置の熱交換ユニットである熱交換器１８の斜視図である。図８において、実施例１で示した空気調和装置と同様であり、熱交換ユニットである熱交換器１８の異なる点は、熱交換器１８の面積を左右に可変できるように固定した主パネル部２９と、主パネル２９の前面で左右にスライドするの二枚のスライドパネル３０Ａと３０Ｂを設けて構成される。各パネルには熱媒管１１が設けられておりそれぞれのパネルから輻射を発生できる。
【００５０】
以上のように構成した空気調和装置において、主パネル２９および二枚のスライドパネル３０Ａ、３０Ｂの熱媒管１１はフィン１３を複数段貫通し拡管により密着されるため良好な伝熱関係を保持できる。これにより、８０℃に加熱された熱媒の熱が熱媒管１１からフィン１３の一端１４に伝熱し、折り曲げられ室内に面したフィンの温度を上昇させる。通常主パネル２９とスライドパネル３０Ａ、３０Ｂは前後に重なる構成をとるが、主パネル２９からスライドパネル３０Ａ、３０Ｂをずらし輻射面積を拡大することで、輻射量を増加させることができる。すなわち必要に応じて輻射量を増減できるため快適な温熱環境を実現できるものである。
【００５１】
（実施例８）
図９は本発明実施例８における空気調和装置の熱交換器１８の斜視図である。図９において、実施例７の構成と異なるとこは、パネル部の面積を変化させる二枚の折りたたみパネル３１Ａ、３１Ｂを設け、主パネル２９と折りたたみパネル３１Ａ、３１Ｂは蝶番等で開閉できる構成とした点である。
【００５２】
以上のように構成した空気調和装置において、以下その動作、作用を説明する。主パネル２９および二枚の折りたたみパネル３１Ａ、３１Ｂの熱媒管１１はフィン１３を複数段貫通し拡管により密着されるため良好な伝熱関係を保持できる。これにより、８０℃に加熱された熱媒の熱が熱媒管１１からフィン１３の一端に伝熱し、折り曲げられ室内に面したフィン１３の温度を上昇させる。通常主パネル２９を折りたたみパネル３１Ａ、３１Ｂが覆う構成をとるが、主パネル２９から折りたたみパネル３１Ａ、３１Ｂを開き輻射面積を拡大することで、輻射量を増加させることができる。すなわち必要に応じて輻射量を増減できるため快適な温熱環境を実現できるものである。
【００５３】
【発明の効果】
以上のように、本発明によれば、室内側に輻射を発生させる面積を可変する構成を有し、熱交換ユニットと送風ユニットを分離でき、必要に応じて、暖房能力を調節可能で、また、装置の大きさも可変として、使い勝手のよい空気調和装置を実現することができる。
【図面の簡単な説明】
【図１】本発明の実施例１における空気調和装置の斜視図
【図２】同空気調和装置の側部断面図
【図３】本発明の実施例２における同空気調和装置の側部断面図
【図４】本発明の実施例３における同空気調和装置の側部断面図
【図５】本発明の実施例４における同空気調和装置の側部断面図断面図
【図６】本発明の実施例５における熱交換器の斜視図
【図７】本発明の実施例６における熱交換器の斜視図
【図８】本発明の実施例７における熱交換器の斜視図
【図９】本発明の実施例８における熱交換器の斜視図
【図１０】従来の暖房装置の構成図
【符号の説明】
１１　熱媒管
１３　フィン
１４　一端
１５　面
１６　他端
１７　送風路
１８　熱交換ユニット
１９　筐体
１９Ａ　筐体下部
１９Ｂ　筐体上部
２０　送風ユニット
２１　吹出口
２２　ルーバー
２３　可動手段
２４　送風手段
２５　吸込口
２６　切り換え弁
３０　スライドパネル
３１　折りたたみパネル
【図１】
2004020047.tif 000003
【図２】
2004020047.tif 000004
【図３】
2004020047.tif 000005
【図４】
2004020047.tif 000006
【図５】
2004020047.tif 000007
【図６】
2004020047.tif 000008
【図７】
2004020047.tif 000009
【図８】
2004020047.tif 000010
【図９】
2004020047.tif 000011
【図１０】
2004020047.tif 000012